(57)【要約】【課題】測定された放射パターンが利用されて実行されるテストに続く放射テスト方法を使用するアンテナパターンの測定を実行するＵＥと整合した多入力多出力（ＭＩＭＯ：Ｍｕｌｔｉｐｌｅ  Ｉｎｐｕｔ  Ｍｕｌｔｉｐｌｅ  Ｏｕｔｐｕｔ）無線ネットワーク伝送（ＯＴＡ：Ｏｖｅｒ−ｔｈｅ−Ａｉｒ）のテストのためのユーザー機器（ＵＥ：Ｕｓｅｒ  Ｅｑｕｉｐｍｅｎｔ）のアンテナパターンの測定処理方法を提供する。【解決手段】この方法は、放射妨害の影響を考慮しないアンテナパターン測定を含む。ＭＩＭＯ  ＯＴＡ方法のために、出力測定処理の１つのフェーズの間に考慮されるように、ＵＥの自己干渉を推定することが必要である。アンテナパターン測定のためにパケット交換データ伝送における好ましい方法およびシステムが提供される。多重ＲｘアンテナＵＥが提供される。多重ＲｘアンテナＵＥは、ネットワーク要素から多重Ｒｘアンテナへの信号強度のアンテナパターン測定を促進するように構成されるプロセッサーを含む。先進技術に基づくネットワークの信号強度は、ユーザーのデータが伝送されていないときに測定される。本発明は、多重ＲｘアンテナＵＥにおいてＵＥが受信する出力および相対位相の少なくとも２つの異なる測定を行う。【選択図】図１
2016510519.tif 000002
【特許請求の範囲】
【請求項１】
ユーザー機器（ＵＥ）のマルチアンテナ受信パターンの測定処理方法であって、
少なくとも一つのネットワーク要素および前記ＵＥ間のデータ伝送のための少なくとも一つのトランスミッターおよび少なくとも一つのレシーバーと、前記ＵＥのマルチアンテナにおいて示される信号強度を測定する手段と、測定する装置からの信号強度の測定値の少なくとも一つを記録するように構成される少なくとも一つのプロセッサーと、を提供するステップと、
ユーザーのデータが伝送されていない間に、前記ＵＥのマルチアンテナにおいて信号強度を測定するステップと、
少なくとも一つの前記測定する装置からの少なくとも一つの測定値を記録するステップと、
を有する測定処理方法。
【請求項２】
前記ユーザーのデータが伝送されていない間に前記ＵＥのマルチアンテナにおいて信号強度を測定する測定ステップは、前記マルチアンテナの受信出力および相対位相を測定するステップをさらに含む請求項１に記載の方法。
【請求項３】
前記ユーザーのデータが伝送されていない間に前記ＵＥのマルチアンテナにおいて信号強度を測定するステップは、広帯域の帯域幅の信号強度を測定するステップをさらに含む請求項１に記載の方法。
【請求項４】
前記広帯域の帯域幅の信号強度を測定するステップは、使用帯域幅の少なくとも２つの異なる部分において、個別に信号強度を測定するステップをさらに含む請求項３に記載の方法。
【請求項５】
前記ユーザーのデータが伝送されていない間に前記ＵＥのマルチアンテナにおいて信号強度を測定するステップは、サブバンドの帯域幅の信号強度を測定するステップをさらに含む請求項１に記載の方法。
【請求項６】
前記少なくとも一つのネットワーク要素から、測定要求を受信するステップをさらに含む請求項１に記載の方法。
【請求項７】
前記少なくとも一つのネットワーク要素に、測定報告を送信するステップをさらに含む請求項１に記載の方法。
【請求項８】
ユーザー機器（ＵＥ）のマルチアンテナのパフォーマンスのテスト方法であって、
少なくとも一つのネットワーク要素および前記ＵＥ間のデータ伝送のための少なくとも一つのトランスミッターおよび少なくとも一つのレシーバーと、前記ＵＥのマルチアンテナにおいて示される信号強度を測定する手段と、測定する装置からの信号強度の測定値の少なくとも一つを記録するように構成される少なくとも一つのプロセッサーと、を提供するステップと、
前記少なくとも一つのネットワーク要素から前記ＵＥへの少なくとも一つの測定要求を受信するステップと、
ユーザーのデータが伝送されていない間に、前記ＵＥのマルチアンテナにおいて信号強度を測定するステップと、
少なくとも一つの前記測定する装置からの少なくとも一つの測定値を記録するステップと、
前記少なくとも一つのネットワーク要素へ少なくとも一つの測定報告を送信するステップと、
を有するテスト方法。
【請求項９】
前記ユーザーのデータが伝送されていない間に前記ＵＥのマルチアンテナにおいて信号強度を測定するステップは、前記マルチアンテナの受信出力および相対位相を測定するステップをさらに含む請求項８に記載の方法。
【請求項１０】
前記ユーザーのデータが伝送されていない間に前記ＵＥのマルチアンテナにおいて信号強度を測定するステップは、広帯域の帯域幅の信号強度を測定するステップをさらに含む請求項８に記載の方法。
【請求項１１】
前記広帯域の帯域幅の信号強度を測定するステップは、使用帯域幅の少なくとも２つの異なる部分において、個別に信号強度を測定するステップをさらに含む請求項１０に記載の方法。
【請求項１２】
前記ユーザーのデータが伝送されていない間に前記ＵＥのマルチアンテナにおいて信号強度を測定するステップは、サブバンドの帯域幅の信号強度を測定するステップをさらに含む請求項８に記載の方法。
【請求項１３】
ユーザー機器（ＵＥ）のマルチアンテナ受信パターンの測定処理システムであって、
少なくとも一つのネットワーク要素および前記ＵＥ間のデータ伝送のための少なくとも一つのトランスミッターおよび少なくとも一つのレシーバーと、
ユーザーのデータが伝送されていない間に、前記ＵＥのマルチアンテナにおいて示される信号強度を測定する手段と、
測定する装置からの信号強度の測定値の少なくとも一つを記録するように構成される少なくとも一つのプロセッサーと、
を有する測定処理システム。
【請求項１４】
前記信号強度を測定する手段は、前記マルチアンテナの受信出力および相対位相を測定する手段をさらに含む請求項１３に記載のシステム。
【請求項１５】
前記信号強度を測定する手段は、広帯域の帯域幅の信号強度を測定する手段をさらに含む請求項１３に記載のシステム。
【請求項１６】
前記広帯域の帯域幅の信号強度を測定する手段は、使用帯域幅の少なくとも２つの異なる部分において、個別に信号強度を測定する手段をさらに含む請求項１５に記載のシステム。
【請求項１７】
前記信号強度を測定する手段は、サブバンドの帯域幅の信号強度を測定する手段をさらに含む請求項１３に記載のシステム。
【請求項１８】
前記少なくとも一つのネットワーク要素から、測定要求を受信する手段をさらに含む請求項１３に記載のシステム。
【請求項１９】
前記少なくとも一つのネットワーク要素に、測定報告を送信する手段をさらに含む請求項１３に記載のシステム。
【発明の詳細な説明】
【技術分野】
【０００１】
本発明は、測定された放射パターンが利用されて実行されるテストに続く放射テスト方法を使用したアンテナパターンの測定を実行するＵＥと整合したＭＩＭＯ（Ｍｕｌｔｉｐｌｅ  Ｉｎｐｕｔ  Ｍｕｌｔｉｐｌｅ  Ｏｕｔｐｕｔ：多入力多出力）無線ネットワーク伝送（ＯＴＡ：Ｏｖｅｒ−ｔｈｅ−Ａｉｒ）のテストのためのユーザー機器（ＵＥ：Ｕｓｅｒ  Ｅｑｕｉｐｍｅｎｔ）のアンテナパターンの測定処理方法に関する。具体的には、本発明はアンテナパターンの測定処理方法に関する。
【背景技術】
【０００２】
携帯電話、携帯デバイス、ラップトップコンピューターに組み込まれたデバイス、マシン対マシンデバイス（Ｍ２Ｍ：Ｍａｃｈｉｎｅ  ２  Ｍａｃｈｉｎｅ）および類似するデバイスのような無線通信機能を備えるデバイスは、本明細書においてユーザー機器（ＵＥ）と称される。 
【０００３】
無線通信は継続的に発展している。従来不可能であったサービスを提供する先進技術機器が多数存在する。この先進技術機器は、たとえば、従来の無線電気通信システムにおける同等の機器よりも高度に発展した基地局またはその他のシステムおよび装置のみならず、たとえばｅＮｏｄｅＢ（Ｅｎｈａｎｃｅｄ  Ｎｏｄｅ  Ｂ：拡張ノードＢ）を含んでもよい。このような先端のまたは次世代の機器は、本明細書において、高速パケットアクセス（ＨＳＰＡ：Ｈｉｇｈ  Ｓｐｅｅｄ  Ｐａｃｋｅｔ  Ａｃｃｅｓｓ）機器およびロングタームエボリューション（ＬＴＥ：Ｌｏｎｇ  Ｔｅｒｍ  Ｅｖｏｌｕｔｉｏｎ）機器等と称される。
【０００４】
従来の無線通信システムにおいて、基地局の伝送装置は、ある地理的領域に信号を送信し、「セル」と称される。ＬＴＥおよび他の高度な機器においては、ＵＥが無線通信ネットワークにアクセスできる領域は、たとえば、「ホットスポット」等の異なる名前で称されることがある。本明細書において、「セル」という用語は、ＵＥの種類に関わらず、領域が従来のセルであるかｅＮｏｄｅＢのようなＬＴＥ機器によって提供される領域であるかに関わらず、ＵＥが無線通信ネットワークにアクセスできる領域、または無線通信が利用可能な他の領域を指す。
【０００５】
異なるＵＥは、無線通信ネットワークにアクセスするために異なる種類の無線通信技術（ＲＡＴ：Ｒａｄｉｏ  Ａｃｃｅｓｓ  Ｔｅｃｈｎｏｌｏｇｙ）を使用することがある。マルチモードＵＥ等と称されるＵＥは、複数のＲＡＴを使用して通信することができる。たとえば、マルチモードＵＥは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：汎用モバイル通信システム）や、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）のバンドや他の無線方式等の一つ以上の異なるシステムのうちの、少なくとも一つのモードからサービスを受けられるＵＥを含むことができる。本明細書において定められるように、マルチモードＵＥは、全ての目的のために参照により本明細書に含まれる、３ＧＰＰ（３ｒｄ  Ｇｅｎｅｒａｔｉｏｎ  Ｐａｒｔｎｅｒｓｈｉｐ  Ｐｒｏｊｅｃｔ）、Ｔｅｃｈｎｉｃａｌ  Ｓｐｅｃｉｆｉｃａｔｉｏｎ  Ｇｒｏｕｐ（ＴＳＧ）  Ｔｅｒｍｉｎａｌｓ、Ｍｕｌｔｉ−Ｍｏｄｅ  ＵＥ  Ｉｓｓｕｅｓ、Ｃａｔｅｇｏｒｉｅｓ、Ｐｒｉｎｃｉｐｌｅｓ  ａｎｄ  Ｐｒｏｃｅｄｕｒｅｓ（３Ｇ  ＴＲ  ２１．９１０）において定義または提供されるいかなる種類のマルチモードＵＥでもよい。ＲＡＴまたは異なる種類のＲＡＴを使用しうるネットワーク技術の例は、ＵＴＲＡＮ（ＵＴＭＳ  Ｔｅｒｒｅｓｔｒｉａｌ  Ｒａｄｉｏ  Ａｃｃｅｓｓ  Ｎｅｔｗｏｒｋ）、ＧＳＭ、ＧＳＭ  ＥＤＧＥ  Ｒａｄｉｏ  Ａｃｃｅｓｓ  Ｎｅｔｗｏｒｋ（ＧＥＲＡＮ）、Ｗｉｒｅｌｅｓｓ  Ｆｉｄｅｌｉｔｙ（ＷｉＦｉ）、Ｇｅｎｅｒａｌ  Ｐａｃｋｅｔ  Ｒａｄｉｏ  Ｓｅｒｖｉｃｅ（ＧＰＲＳ）、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）、Ｈｉｇｈ  Ｓｐｅｅｄ  Ｐａｃｋｅｔ  Ａｃｃｅｓｓ（ＨＳＰＡ）およびｌｏｎｇ−ｔｅｒｍ  ｅｖｏｌｕｔｉｏｎ（ＬＴＥ）を含む。これらのＲＡＴに基づく他のＲＡＴまたは他のネットワーク技術は、従来技術に近いものであってもよい。
【０００６】
異なるＵＥは、異なる種類のＭＩＭＯおよびレシーバーダイバーシティ技術を使用することができる。ＭＩＭＯ  ＵＥ等と称されるＵＥは、複数のアンテナを使用して通信することができる。たとえば、ＭＩＭＯ  ＵＥは、ＵＥにマルチアンテナ受信およびＭＩＭＯレシーバーを含むことができる。
【０００７】
異なる種類のＭＩＭＯ技術および異なる種類の無線通信ネットワークにアクセスする無線通信技術（ＲＡＴ）を有するＵＥは、ＭＩＭＯマルチモードＵＥ等と称される。
【０００８】
ＵＥにおけるＭＩＭＯ（Ｍｕｌｔｉｐｌｅ  Ｉｎｐｕｔ  Ｍｕｌｔｉｐｌｅ  Ｏｕｔｐｕｔ：多入力多出力）およびレシーバーダイバーシティの使用は、ＨＳＰＡおよびＬＴＥデバイスにおいてダウンリンク処理能力の大きな増加を与えることが期待される。空間多重化のような技術は、本明細書において、多入力多出力（ＭＩＭＯ：Ｍｕｌｔｉｐｌｅ  Ｉｎｐｕｔ  Ｍｕｌｔｉｐｌｅ  Ｏｕｔｐｕｔ）と称される。単一空間のレイヤーオペレーション等の他の技術は、一入力多出力（ＳＩＭＯ：Ｓｉｎｇｌｅ  Ｉｎｐｕｔ  Ｍｕｌｔｉｐｌｅ  Ｏｕｔｐｕｔ）と称される。
【発明の概要】
【発明が解決しようとする課題】
【０００９】
ＭＩＭＯおよびマルチアンテナレシーバー（たとえば、ＨＳＰＡ復調のための３ＧＰＰ技術仕様ＴＳ  ２５．１０１におけるタイプ１およびタイプ３）のための、既に定義されたテスト方法がある、しかし、フィールドにおいてこれらのゲインを複製する能力は、受信アンテナシステムの能力に大きく依存していることが明らかである。
【００１０】
したがって、ＨＳＰＡおよびＬＴＥデバイスのためのＵＥの複数のアンテナおよびＭＩＭＯレシーバーの放射パフォーマンスを測定および確認する目的で構築されるテスト方法が必要とされている。
【００１１】
ＨＳＰＡおよびＬＴＥ端末のためのＭＩＭＯおよびマルチアンテナ受信の放射パフォーマンスの測定は、Ｏｖｅｒ−ｔｈｅ−Ａｉｒ（ＯＴＡ：無線）において実行されなければならず、すなわち、Ｄｅｖｉｃｅ−Ｕｎｄｅｒ  Ｔｅｓｔ（ＤＵＴ：試験装置）に対するＲＦケーブル接続なしで実行されなければならない。
【００１２】
本発明の目的は、上記のようにアンテナパターンの測定処理方法を提供することである。
【課題を解決するための手段】
【００１３】
したがって、第１の側面において、ＭＩＭＯマルチモードＵＥが提供される。ＭＩＭＯマルチモードＵＥは、アプリケーションを実行している通信システムにおける信号強度の測定を促進するように構成されるプロセッサーを含む。
【００１４】
第２の側面において、ＭＩＭＯマルチモードＵＥは、ネットワーク要素から多重ＲｘアンテナＵＥまでの信号強度の測定を促進するように構成されるプロセッサーを含む。先進技術に基づくネットワークの信号強度は、ユーザーのデータが伝送されないときに測定される。
【００１５】
第３の側面において、レイヤー１は、ＵＥアンテナパターンの測定を容易にするために、ＭＩＭＯマルチモードＵＥおよびネットワークのための測定能力を提供する。この方法は、受信出力および相対位相のＵＥアンテナパターンを測定することを含む。
【００１６】
第４の側面において、信号強度を測定する方法が提供される。この方法は、広帯域の測定帯域幅を使用するＵＥアンテナパターンを測定することを含む。この方法は、使用帯域幅の異なる一部のために、ＭＩＭＯマルチモードＵＥアンテナパターンが別に測定される能力を含む。
【００１７】
第５の側面において、信号強度を測定する方法が提供される。この方法は、サブバンド測定帯域幅を使用するＵＥアンテナパターンを測定することを含む。
【００１８】
第６の側面において、信号強度を測定する方法が提供される。この方法は、ＵＥが測定報告を送信するトリガーを生成することを含む。これは、繰り返し設定されてもよく、単独のイベントとして設定されてもよい。
【００１９】
第７の側面において、試験制御部に接続する手順が定められる。この方法は、ＵＥアンテナパターン測定の要求およびＵＥアンテナパターン測定の報告を可能とする制御プレーンの手順を含む。
【００２０】
換言すれば、アンテナパターンの測定処理方法は、測定された放射パターンが利用されて実行されるテストに続く放射テスト方法を使用してアンテナパターンの測定を実行するＭＩＭＯマルチモードＵＥに基づく。この方法は、放射妨害の影響を考慮しないアンテナパターン測定を含む。理論としては、この方法は、ＵＥが測定報告を送信するトリガーを生成する第１のステップを含む。これは、繰り返し設定されてもよく、単独のイベントとして設定されてもよい。ＵＥアンテナパターンの測定を容易にするために、受信出力および相対位相のＵＥアンテナパターンの測定が定義される。次のステップにおいて、ＵＥアンテナおよび関連するプロパティの測定が含まれる。第３のステップにおいて、実行されるＭＩＭＯ  ＯＴＡテストのための無線通信インターフェースの有効利用を可能とする制御プレーンの手順が含まれる。第４のステップにおいて、測定されたアンテナ放射パターンが利用されて実行されるテストに続く放射テスト方法を使用するアンテナパターン測定の実行が含まれる。
【００２１】
システムは、データ伝送のためのトランスミッターおよびレシーバー、無線周波数（ＲＦ）マルチモードＵＥのテストのためのシステム、たとえば携帯電話、携帯デバイス、ラップトップコンピューターに組み込まれたデバイス、マシン対マシンデバイス（Ｍ２Ｍ：Ｍａｃｈｉｎｅ  ２  Ｍａｃｈｉｎｅ）および類似するデバイスのような無線通信機能を備えるマルチモードＵＥから構成される。ＵＥは、異なる種類のＭＩＭＯ技術および無線通信網にアクセスするため異なる種類の無線通信技術（ＲＡＴ）を備える。ネットワーク装置は、たとえば、ｅＮｏｄｅＢ（Ｅｎｈａｎｃｅｄ  Ｎｏｄｅ  Ｂ：拡張ノードＢ）または他のシステムを含んでもよい。
【００２２】
ＭＩＭＯマルチモードＵＥにおいて、複数のアンテナおよびＭＩＭＯレシーバーの放射パフォーマンスが測定される。
ＭＩＭＯおよび測定に適したマルチアンテナ受信ＵＥのための放射パフォーマンス測定は、Ｏｖｅｒ−ｔｈｅ−Ａｉｒ（ＯＴＡ：無線）、すなわち、Ｄｅｖｉｃｅ−Ｕｎｄｅｒ  Ｔｅｓｔ（ＤＵＴ：試験装置）に対するＲＦケーブル接続なしで実行される。
【００２３】
本発明の目的は、下記の説明を読み添付の図面を参照することにより、明らかとなる。
【００２４】
上記の概説および以下の図面や詳細な説明は、例示的で説明的なものであり、特許請求の範囲の発明のより詳細な説明を提供することを目的とするものである。
【図面の簡単な説明】
【００２５】
発明は一般的な用語で記載され、添付の図面への参照がなされているが、必ずしもスケールどおりに記載されているわけではない。添付の図面は、発明のさらなる理解をもたらすために提供されており、本明細書に含まれ、本明細書の一部を構成する。図面は、開示される実施形態および／または態様を示し、さらに詳細な説明と共に、特許請求の範囲の記載によって範囲が定められる発明の原理を説明する役割を果たす。
【図１】本発明の一実施形態による無線通信システムのブロック図である。
【図２】本発明の一実施形態によるデータ伝送を示す図である。
【図３】本発明の一実施形態による信号強度の測定方法を示す図である。
【図４】本発明の様々な実施態様において使用可能なユーザー機器を含む無線通信システムを示す図である。
【図５】本発明の様々な実施態様において使用可能なユーザー機器のブロック図である。
【図６】本発明の一実施形態による無線インタフェースプロトコルアーキテクチャのブロック図である。
【図７】本発明の一実施形態によるＯｖｅｒ−ｔｈｅ−Ａｉｒ（ＯＴＡ）システムのブロック図である。
【図８ａ】実行されたＭＩＭＯ  ＯＴＡテストのための無電通信インターフェースの有効利用を可能とする制御プレーンの手順を示す図である。
【図８ｂ】実行されたＭＩＭＯ  ＯＴＡテストのための無電通信インターフェースの有効利用を可能とする制御プレーンの手順を示す図である。
【図８ｃ】実行されたＭＩＭＯ  ＯＴＡテストのための無電通信インターフェースの有効利用を可能とする制御プレーンの手順を示す図である。
【発明を実施するための形態】
【００２６】
本発明は、いくつかの発明の実施形態が示される添付の図面を参照しつつ、下記においてより完全に記載されている。本明細書において提供される図面および説明は、本発明の明確な理解に関する要素を示すために単純化されていることがあり、また、明確化の目的のために、ＭＩＭＯ  ＯＴＡをサポートするＵＥ測定の従来のシステムおよびその方法において認識される他の要素が除去されていると理解されるべきである。当業者は、本明細書に記載される装置、システムおよび方法を実装するために、他の要素および／またはステップは、任意および／または必須であると認識できる。しかしながら、このような要素およびステップは周知であり、それらは本発明の理解を容易にしないため、このような要素およびステップに関する議論は、本明細書において提供されないことがある。本開示は、当業者に周知の開示された要素、システムおよび方法に対する全ての要素、変形および修正を本質的に含むものとみなされる。実際、これらの開示された発明は、様々な形式で実施されることができ、本明細書に記載される実施形態に限定されると解釈されてはならず、むしろ、これらの実施形態は、本開示が適用される法的要件を満たすために例示の方法により提供されるものである。同様の符号は、全体を通じて同様の要素を示す。
【００２７】
一実施形態において、ＭＩＭＯマルチモードＵＥが提供される。ＭＩＭＯマルチモードＵＥは、ネットワーク要素からＭＩＭＯマルチモードＵＥまで信号強度の測定を促進するように構成されるプロセッサーを含む。
【００２８】
他の実施形態では、信号強度を測定する方法が提供される。この方法はデータが伝送されないときに、ネットワーク要素から多重ＲｘアンテナＵＥへの信号強度を測定することを含む。
【００２９】
他の実施形態では、信号強度を測定する方法が提供される。この方法は、受信出力および相対位相のＵＥアンテナパターンの信号強度を測定することを含む。
【００３０】
他の実施形態では、信号強度を測定する方法が提供される。この方法は、広帯域の測定帯域幅を使用するＵＥアンテナパターンを測定することを含む。この方法は、使用帯域幅の異なる一部のために、ＭＩＭＯマルチモードＵＥアンテナパターンが別に測定されることを含む。
【００３１】
他の実施形態では、信号強度を測定する方法が提供される。この方法は、サブバンド測定帯域幅を使用しているＵＥアンテナパターンを測定することを含む。
【００３２】
他の実施態様では、ＵＥアンテナパターン情報の測定をＵＥが報告する方法が提供される。この方法は、ＵＥが測定報告を送信するトリガーを生成することを含む。これは、繰り返し設定されてもよく、単独のイベントとして設定されてもよい。
【００３３】
他の実施態様では、試験制御部に接続する手順が定められる。この方法は、ＵＥアンテナパターン測定の要求およびＵＥアンテナパターン測定の報告を可能とする制御プレーンの手順を含む。
【００３４】
図１は、このような測定が発生する状況を示す。ＵＥは、マクロ技術ネットワークからマイクロ技術ネットワークへ移動している。マクロ技術ネットワークは、ｅＮｏｄｅＢや類似する構成を含む。ＵＥは、ｅＮｏｄｅＢを介してアプリケーションを実行するマクロ技術に従うことができる。すなわち、ｅＮｏｄｅＢは、ＵＥにデータを伝送する、あるいはＵＥと通信する。
【００３５】
図２は、ｅＮｏｄｅＢからＵＥへのデータ伝送の詳細を示す図である。データ伝送は、データが伝送されない伝送ピリオドで区切られるデータ列の集合から構成される。データ列は、ユーザーに指示されたデータ伝送の種類を表現できる。データが伝送されない期間に、ＵＥは受信する信号の強度を測定できる。第１の技術において、信号強度を測定する方法が提供される。この方法は、広帯域の測定帯域幅を使用するＵＥアンテナパターンを測定することを含む。この方法は、使用帯域幅の異なる一部のために、ＭＩＭＯマルチモードＵＥアンテナパターンが別に測定されることを含む。この技術の代替として、信号強度を測定する方法が提供される。この方法は、サブバンド測定帯域幅を使用するＵＥアンテナパターンを測定することを含む。
【００３６】
図３は、受信出力および相対位相のＵＥアンテナパターンの強度を測定する方法の実施形態を示す。データが伝送されないときに、信号強度の測定は実行される。ＵＥは、ＵＥアンテナパターン情報の測定報告を送信する。
【００３７】
図４は、ＭＩＭＯマルチモードＵＥの実施形態を含む無線通信システムである。携帯電話として例示されるＵＥは、携帯デバイス、ラップトップコンピューターに組み込まれるデバイス、マシン対マシン（Ｍ２Ｍ）デバイスおよび類似するデバイスを含むが、これに限定されずさまざまな形態とすることができる。
【００３８】
図５は、ＭＩＭＯマルチモードＵＥのブロック図である。様々な周知のＵＥの構成が示されると共に、実施形態として、図示されない構成のサブセットおよび／または追加の構成がＵＥに含まれてもよい。ＵＥは、異なる種類のＭＩＭＯおよびレシーバーダイバーシティ技術を使用することができる。ＭＩＭＯ  ＵＥ等と称されるＵＥは、複数のアンテナを使用して通信することができる。たとえば、ＭＩＭＯ  ＵＥは、多重アンテナ受信およびＭＩＭＯレシーバーをＵＥに含むことができる。
【００３９】
図６は、通信システム無線インタフェースプロトコルアーキテクチャを示す。インタフェースプロトコルアーキテクチャは、ＵＥおよびネットワーク間の推定を示す。これは、Ｌａｙｅｒ  １、２および３を含む。
【００４０】
図７は、Ｏｖｅｒ−ｔｈｅ−Ａｉｒ（ＯＴＡ）システムのブロック図である。本実施形態において、Ｍ個のブランチのＭＩＭＯ信号を生成する通信ネットワークと、ＯＴＡ  Ｃｈａｎｎｅｌ  Ｇｅｎｅｒａｔｉｏｎ  Ｆｕｎｃｔｉｏｎａｌｉｔｙ（チャンネル生成機能）を備えたＮ個のアンテナ素子を含むＲＦチャンネルを含むことができ、そして、チャンバーの各プローブに信号を分散する。記載されるシステムは、ＭＩＭＯパフォーマンスをテストするために使われてもよい。
【００４１】
図８ａ、８ｂおよび８ｃは、試験制御部に接続するための手順を概説する。この方法は、ＵＥアンテナパターン測定要求およびＵＥアンテナパターン測定報告を可能とする制御プレーン手順を含む。
【００４２】
図８ａは、ＭＩＭＯ  ＯＴＡ  ＵＥアンテナパターン測定要求である。メッセージは、ネットワークからＵＥに向けてのみ送信される。
【００４３】
図８ｂは、ＭＩＭＯ  ＯＴＡ  ＵＥアンテナパターン測定報告である。メッセージは、ＵＥからネットワークに向けてのみ送信される。
【００４４】
図８ｃは、ＭＩＭＯパフォーマンスをテストするためのＭＩＭＯ  ＯＴＡ  ＵＥアンテナパターンの測定手順を示す。
【００４５】
具体的な用語が本明細書において使用されたとしても、それらは一般的かつ説明的な意味として使用されているだけであり、限定の目的で使用されているものではない。また、本発明は、説明形式においてある程度具体的に説明および図示されているが、記載や図面は例示のためだけに作成されていることに留意されたい。構成の詳細や、要素やステップの結合および変更について様々な変更を行うことが可能である。したがって、このような変更は、特許請求の範囲によって範囲が定められる本発明に含まれるものとする。
2016510519.tif 000003
2016510519.tif 000004
2016510519.tif 000005
2016510519.tif 000006
2016510519.tif 000007
2016510519.tif 000008
2016510519.tif 000009
2016510519.tif 000010
2016510519.tif 000011
【図１】
2016510519.tif 000012
【図２】
2016510519.tif 000013
【図３】
2016510519.tif 000014
【図４】
2016510519.tif 000015
【図５】
2016510519.tif 000016
【図６】
2016510519.tif 000017
【図７】
2016510519.tif 000018
【図８ａ】
2016510519.tif 000019
【図８ｂ】
2016510519.tif 000020
【図８ｃ】
2016510519.tif 000021
【国際調査報告】
2016510519.tif 000022
2016510519.tif 000023